【手続補正書】
【提出日】平成16年3月25日(2004.3.25)
【手続補正１】
【補正対象書類名】明細書
【補正対象項目名】特許請求の範囲
【補正方法】変更
【補正の内容】
【特許請求の範囲】  【請求項１】  スケーラブルでコンテンツへのアクセスが可能な圧縮ビットストリーム（６０）を作成するための、デジタル静止画像（１０）をエンコーディング及びデコーディングする領域ベースの方法であって、  生画像データを分解し、多重解像度サブイメージの階層に順序付けする工程（２０）であって、前記多重解像度サブイメージは量（マグニチュード）を有する多重解像度係数を含むものである、工程と、  処理対象領域を決定する工程（３０）と、 第１レベルの解像度の処理対象領域を特定するための領域マスクを定義する工程（３０）と、 前記第１レベルの解像度の処理対象領域の領域マスクを幾何学的プログレッシブエンコーディングを使ってエンコーディングする工程（４０）と、  解像度の後続レベル用に領域マスクを決定し、エンコーディングする工程と、  多重解像度係数の大きさに基づいてエンコードされた領域マスクをスキャンし、プログレッシブにソートする工程（５０）と、 前記圧縮ビットストリームを構成する工程とを有する。  【請求項２】  請求項１記載の方法において、前記多重解像度サブイメージの階層は、ウェーブレット変換に基づき作成される。  【請求項３】  請求項１記載の方法において、前記多重解像度サブイメージの階層は、フーリエベースの変換に基づき作成される。  【請求項４】  請求項１記載の方法において、前記多重解像度サブイメージの階層は、生画像データを使って作成される。  【請求項５】  請求項１記載の方法において、前記処理対象領域は、自動工程により決定される。  【請求項６】  請求項１記載の方法において、前記処理対象領域は、ユーザ定義により決定される。  【請求項７】  請求項１記載の方法において、前記幾何学的プログレッシブエンコーディングは、フーリエ変換を使用する。  【請求項８】  請求項１記載の方法において、前記幾何学的プログレッシブは、ウェーブレット変換を使用する。  【請求項９】  請求項１記載の方法において、領域ベースのデータは、多重解像度係数のリストを作成するため、線形にスキャンされる。  【請求項１０】  請求項１記載の方法において、領域ベースのデータは、多重解像度係数のリストを作成するため、領域縮小プロトコルを使ってスキャンされる。  【請求項１１】  請求項１記載の方法において、前記多重解像度係数のリストは、プログレッシブな部分ソート体系を使ってソートされる。  【請求項１２】  請求項１記載の方法において、前記多重解像度係数のリストは、所定のパーティションに基づいて分割されたデータを使ったプログレッシブなソート体系によりソートされる。  【請求項１３】  請求項１記載の方法は、さらにエントロピーコーディングの最適な手段を決定するソフトウェアスイッチの工程を有する。  【請求項１４】  請求項１記載の方法は、異なる領域及び解像度チャンネルからの圧縮データを統合ビットストリームにアセンブルすることにより、エンコーダ及びデコーダの両方が、選択的及びインタラクティブに、ビットバジェット及び圧縮画像の質を制御できるようにする、多重化プロトコルの工程をさらに有する。  【請求項１５】  スケーラブルでコンテンツへのアクセスが可能な圧縮ビットストリームを作成するための、デジタル静���画像を領域ベースでエンコーディング及びデコーディングする装置であって、  生画像データを分解し、多重解像度サブイメージの階層に順序付けする手段であって、前記多重解像度サブイメージは量（マグニチュード）を有する多重解像度係数を含むものである、手段と、  処理対象領域を決定する手段と、 第１レベルの解像度の処理対象領域を特定するための領域マスクを定義する手段と、 前記第１レベルの解像度の処理対象領域の領域マスクを幾何学的プログレッシブエンコーディングを使ってエンコーディングする手段と、  解像度の後続レベル用に領域マスクを決定し、エンコーディングする手段と、  多重解像度係数の大きさに基づいて前記エンコードされた領域マスクをスキャンし、プログレッシブにソートする手段と、 前記圧縮ビットストリームを構成する手段とを有する。  【請求項１６】  請求項１５記載の装置において、前記多重解像度サブイメージの階層は、ウェーブレット変換に基づき作成される。  【請求項１７】  請求項１５記載の装置において、前記多重解像度サブイメージの階層は、フーリエベースの変換に基づき作成される。  【請求項１８】  請求項１５記載の装置において、前記多重解像度サブイメージの階層は、生画像データを使って作成される。  【請求項１９】  請求項１５記載の装置において、前記処理対象領域は、自動工程により決定される。  【請求項２０】  請求項１５記載の装置において、前記処理対象領域は、ユーザにより決定される。  【請求項２１】  請求項１５記載の装置において、前記幾何学的プログレッシブエンコーディングは、フーリエ変換を使用する。  【請求項２２】  請求項１５記載の装置において、前記幾何学的プログレッシブエンコーディングは、ウェーブレット変換を使用する。  【請求項２３】  請求項１５記載の装置において、領域ベースのデータは、多重解像度係数のリストを作成するため、線形にスキャンされる。  【請求項２４】  請求項１５記載の装置において、領域ベースのデータは、多重解像度係数のリストを作成するため、領域縮小プロトコルを使ってスキャンされる。  【請求項２５】  請求項１５記載の装置において、前記多重解像度係数のリストは、プログレッシブな部分ソート体系を使ってソートされる。  【請求項２６】  請求項１５記載の装置において、前記多重解像度係数のリストは、所定のパーティションに基づいて分割されたデータを使ったプログレッシブなソート体系によりソートされる。  【請求項２７】  請求項１５記載の装置は、エントロピーコーディングの最適な手段を決定するソフトウェアスイッチを使用する。  【請求項２８】  請求項１５記載の装置は、異なる領域及び解像度チャンネルからの圧縮データを統合ビットストリームにアセンブルすることにより、エンコーダ及びデコーダの両方が、選択的及びインタラクティブに、ビットバジェット及び圧縮画像の質を制御できるようにする、多重化手段をさらに有する。  【請求項２９】  スケーラブルでコンテンツへのアクセスが可能な圧縮ビットストリーム（６０）を作成するための、デジタル静止画像（１０）をエンコーディング及びデコーディングする領域ベースのシステムであって、  生画像データを分解し、多重解像度サブイメージの階層に���序付けする工程（２０）であって、前記多重解像度サブイメージは量（マグニチュード）を有する多重解像度係数を含むものである、工程と、  処理対象領域を決定する工程（３０）と、 第１レベル解像度の処理対象領域を特定するための領域マスクを定義する工程（３０）と、 前記第１レベル解像度の処理対象領域の領域マスクを幾何学的プログレッシブエンコーディングを使ってエンコーディングする工程（４０）と、  解像度の後続レベル用に領域マスクを決定し、エンコードする工程と、  多重解像度係数の大きさに基づいて領域データをスキャンし、プログレッシブにソートする工程（５０）と、 前記圧縮ビットストリームを構成する工程とを有する。【手続補正２】
【補正対象書類名】明細書
【補正対象項目名】００２１
【補正方法】変更
【補正の内容】
【００２１】  【発明が解決しようとする課題及び手段】  本発明の目的は、画像圧縮において領域ベースのコーディングを提供することである。本発明の具体的及び好適な観点及び実施例は、添付された独立及び従属請求項に提示されている。１つの例によれば、スケーラブルでコンテンツへのアクセスが可能な圧縮ビットストリームを作成するための、デジタル静止画像をエンコーディング及びデコーディングする領域ベースの方法であって、生画像データを分解し、多重解像度サブイメージの階層内に順序付ける工程と、処理対象領域を決定する工程と、処理対象領域を認識するため、領域マスクを定義する工程と、処理対象領域用に領域マスクをエンコーディングする工程と、解像度の後続レベル用に領域マスクを決定する工程と、多重解像度係数の大きさに基づいて領域データをスキャンし、プログレッシブにソートする工程とを有する方法が提供される。【手続補正３】
【補正対象書類名】明細書
【補正対象項目名】００２２
【補正方法】変更
【補正の内容】
【００２２】 異なる他の例によれば、スケーラブルでコンテンツへのアクセスが可能な圧縮ビットストリームを作成するための、デジタル静止画像をエンコーディング及びデコーディングする領域ベースの装置であって、生画像データを分解し、多重解像度サブイメージの階層内に順序付ける手段と、処理対象領域を決定する手段と、処理対象領域を認識するため、領域マスクを定義する手段と、処理対象領域用に領域マスクをエンコーディングする手段と、解像度の後続レベル用に領域マスクを決定する手段と、多重解像度係数の大きさに基づいて領域データをスキャンし、プログレッシブにソートする手段とを有する装置が提供される。
【手続補正４】
【補正対象書類名】明細書
【補正対象項目名】００２３
【補正方法】変更
【補正の内容】
【００２３】 さらに異なる別の例によれば、スケーラブルでコンテンツへのアクセスが可能な圧縮ビットストリームを作成するための、デジタル静止画像をエンコーディング及びデコーディングする領域ベースのシステムであって、生画像データを分解し、多重解像度サブイメージの階層内に順序付ける工程と、処理対象領域を決定する工程と、処理対象領域を認識するため、領域マスクを定義する工程と、処理対象領域用に領域マスクをエンコーディングする工程と、解像度の後続レベル用に領域マスクを決定する工程と、多重解像度係数の大きさに基づいて領域データをスキャンし、プログレッシブにソートする工程とを有するシステムが提供される。
【手続補正５】
【補正対象書類名】図面
【補正対象項目名】図１
【補正方法】変更
【補正の内容】
【図１】
2002521880.tif 000001